(57)【要約】  薬物送達デバイス（８０）のための装置（１）、および装置（１）を組み立てる方法が提供される。薬物送達デバイス（８０）は、支持体（１０）、接続部材（２０）、およびばね要素（３０）を備え、ばね要素（３０）は、支持体（１０）と接続部材（２０）の間に配置され、また支持体（１０）は支持体接続要素（１１）を備え、かつ接続部材（２０）は部材接続要素（２１）を備え、これらの接続要素は、支持体（１０）および接続部材（２０）を解放可能に接続するための解放可能な接続を確立するように構成される。
2015502226.tif 000002
【特許請求の範囲】
【請求項１】
吸入器（８０）のための装置（１）であって：
支持体（１０）と、
接続部材（２０）と、
ばね要素（３０）とを備え、
ここで、該ばね要素（３０）は、支持体（１０）と接続部材（２０）の間に配置され、
また支持体（１０）は支持体接続要素（１１）を備え、接続部材（２０）は部材接続要素（２１）を備え、これらの接続要素は、支持体（１０）および接続部材（２０）を解放可能に接続するための解放可能な接続を確立するように構成される、上記装置（１）。
【請求項２】
該解放可能な接続はスナップ嵌め接続である、請求項１に記載の装置（１）。
【請求項３】
支持体接続要素（１１）および部材接続要素（２１）は、共通軸に沿って配向される、請求項１または２に記載の装置（１）。
【請求項４】
解放可能な接続が確立されたとき、支持体接続要素（１１）および部材接続要素（２１）の一方が、軸に対して鋭角を成す面法線を備える露出面（１８）を有する、請求項３に記載の装置（１）。
【請求項５】
部材接続要素（２１）は、接続部材（２０）の主体（２８）に接続されているが離間された、軸方向に向いたバー（２２）を備える、請求項１〜４のいずれか１項に記載の装置（１）。
【請求項６】
解放可能な接続が確立されておらず、かつ支持体接続要素（１１）と部材接続要素（２１）の間の距離が、支持体（１０）と接続部材（２０）の間の相対運動により減少したとき、ばね要素（３０）が偏倚され、かつ支持体接続要素（１１）および部材接続要素（２１）が互いに係合し、それにより、支持体（１０）および接続部材（２０）が解放可能に接続され、かつ支持体接続要素（１１）と部材接続要素（２１）の間の距離を増加させようとする、支持体接続要素（１１）と部材接続要素（２１）の間の相対運動が阻止されるように支持体接続要素（１１）および部材接続要素（２１）が配置および構成される、請求項１〜５のいずれか１項に記載の装置（１）。
【請求項７】
解放可能な接続が確立されたとき、ばね要素（３０）は偏倚され、かつ支持体接続要素（１１）および部材接続要素（２１）の係合解除が、該支持体接続要素（１１）および該部材接続要素（２１）を当接状態に保持する偏倚されたばね要素（３０）のばね力により阻止される、請求項１〜６のいずれか１項に記載の装置（１）。
【請求項８】
支持体（１０）は複数の支持体接続要素（１１）を備え、また接続部材（２０）は複数の部材接続要素（２１）を備え、該部材接続要素（２１）が、各場合で、支持体接続要素（１１）のそれぞれ１つと嵌合するように構成され、ここで、支持体接続要素（１１）および部材接続要素（２１）は、支持体（１０）および接続部材（２０）上で、それぞれ、一様に分散される、請求項１〜７のいずれか１項に記載の装置（１）。
【請求項９】
解放可能な接続が確立される、請求項１〜８の少なくとも１項に記載の装置を備えるユニット（６０）。
【請求項１０】
請求項９に記載のユニット（６０）、および該ユニット（６０）に接続可能なモジュール（７０）を備えるキットであって、
該モジュール（７０）は、ユニット（６０）およびモジュール（７０）が互いに接続されたとき、解放可能な接続を解放するために、支持体接続要素（１１）および部材接続要素（２１）の少なくとも一方と協動するように構成された少なくとも１つの解放要素（７２）を備える、上記キット。
【請求項１１】
薬物（８５）を投薬するための吸入器（８０）であって、請求項１〜９の少なくとも１項に記載の装置（１）と、該装置（１）に接続されるモジュール（７０）とを備え、該モジュール（７０）は、薬物（８５）を含む貯蔵器（８６）を備え、ここで、支持体（１０）と接続部材（２０）の間で解放可能な接続が確立されておらず、ばね要素（３０）は、薬物送達デバイス（８０）が薬物（８５）の用量を投薬するように操作されたとき、接続部材（２０）を支持体（１０）から移動させるように配置される、上記吸入器（８０）。
【請求項１２】
接続部材（２０）は、貯蔵器（８６）の壁と協動して薬物の漏れない封止を形成するのに適した封止部材（４０）を備える、請求項１１に記載の吸入器（８０）。
【請求項１３】
吸入器（８０）を組み立てる方法であって：
互いに開放可能に接続された支持体（１０）および接続部材（２０）を備えるユニット（６０）を提供する工程と；
貯蔵器（８６）、および貯蔵器（８６）と連通する開口部（７１）を備えるモジュール（７０）を提供する工程と；
薬物（８５）を、開口部（７１）を介して貯蔵器（８６）の中に充填する工程と；
ユニット（６０）およびモジュール（７０）を互いに接続し、充填された貯蔵器（８６）の開口部（７１）を、接続部材（２０）を用いて閉鎖し、かつ接続部材（２０）が支持体（１０）に対して移動可能になるように解放可能な接続を解放する工程と
を含む、上記方法。
【請求項１４】
モジュール（７０）は、ユニット（６０）およびモジュール（７０）の接続を確立するために行われるユニット（６０）およびモジュール（７０）の相対運動中に、部材接続要素（２１）および支持体接続要素（１１）の少なくとも一方と協動して解放可能な接続を解放するように構成された解放要素（７２）を備える、請求項１３に記載の方法。
【請求項１５】
部材接続要素（２１）および支持体接続要素（１１）の少なくとも一方には可撓性があり、組立てが、ユニット（６０）およびモジュール（７０）を互いに向けて軸方向に移動させることにより実行され、それにより、解放要素（７２）を、部材接続要素（２１）および支持体接続要素（１１）の一方の露出面（１８）と協動させて、さらに移動させることにより、支持体接続要素（１１）および部材接続要素（２１）の可撓性のある方を偏向させ、それにより、部材接続要素（２１）および支持体接続要素（１１）の係合を解除し、かつ解放可能な接続を解放し、ここで、支持体接続要素（１１）および部材接続要素（２１）の可撓性のある方は、解放可能な接続が解放された後、偏向された状態に留まる、請求項１４に記載の方法。
【発明の詳細な説明】
【技術分野】
【０００１】
本開示は、例えば、乾燥粉末吸入器などの吸入器である薬物送達デバイスのための装置、および装置を組み立てるための方法に関する。
【背景技術】
【０００２】
吸入器は、例えば、特許文献１からのものが知られている。
【先行技術文献】
【特許文献】
【０００３】
【特許文献１】ＷＯ２００９／０６５７０８Ａ２
【発明の概要】
【発明が解決しようとする課題】
【０００４】
本開示の目的は、薬物送達デバイスの組立てを容易にする１つまたはそれ以上の構成要素を提供すること、および薬物送達デバイスを組み立てるための関連する方法を提供することである。
【課題を解決するための手段】
【０００５】
この目的は、独立請求項の主題により達成される。有利な実施形態および改良は、従属請求項の主題である。
【０００６】
本開示の一態様は、吸入器などの薬物送達デバイスのための装置またはシステムに関する。装置は、支持体および接続部材を備える。装置は、ばね要素をさらに備えることができ、ばね要素は、支持体と接続部材の間に配置することができる。支持体は、支持体接続要素を備え、また接続部材は、部材接続要素を備える。支持体接続要素および部材接続要素は、支持体と接続部材を解放可能に接続するための解放可能な接続を確立するように構成される。
【０００７】
提案される装置に関する本開示の利点は、支持体および接続部材、ならびに場合により、ばね要素のような複数の単一の構成要素からユニットを形成できるようにすることである。事前に組み立てられたユニットは、支持体および接続部材をしっかりと、ただし解放可能に互いに接続することができるので、複数の単一の構成要素よりも容易に取り扱うことができる。特にばね部材は、適切な場合には偏倚させた（ｂｉａｓｅｄ）状態で、支持体と接続部材の間に保持することができる。したがって、ばね要素は、例えば、圧縮させた状態など、確実に偏倚させた状態で保持することができるが、互いに接続された接続部材と支持体の間で保持されるので、容易に扱うことができる。したがって、薬物送達デバイスのために事前に組み立てられたユニットは、解放可能な接続が確立されたとき、装置の前述の構成要素から形成することができる。薬物送達デバイスの組立中に、解放可能な接続を解放することができ、接続部材を、例えば、ばね要素のばね力により支持体に対して移動させることができるが、その場合、ばね要素の偏倚は減少するはずである。
【０００８】
支持体は、ばね要素を支持することができる。接続部材は、ばね要素に対する対向支承部（ｃｏｕｎｔｅｒ  ｂｅａｒｉｎｇ）を形成することができる。したがって、ばね要素は、支持体と接続部材の間に配置および保持されうる。
【０００９】
実施形態では、支持体と接続部材の間で解放可能な接続が確立される装置を備えるユニットが提供される。
【００１０】
本開示の態様は、モジュールに関する。モジュールは、特に薬物送達デバイスを形成するために、上記で述べたユニットに接続可能にすることができる。モジュールは、さらに上記で述べた装置の構成要素と共に、薬物送達デバイスを形成するための１つまたはそれ以上の構成要素を備えることができる。例えば、モジュールは、デバイスから投薬される予定の薬物を、特にその複数の用量を保持するように構成された貯蔵器、投薬するために薬物の用量を用意する投与機構、および／またはモジュールのさらなる構成要素を保持するための本体などを備えることができる。モジュールは、少なくとも１つの解放要素、または複数の解放要素を備えることができる。解放要素は、ユニットおよびモジュールが互いに接続されたとき、解放可能な接続を解放するために、支持体接続要素および部材接続要素の少なくとも一方と協動するように構成することができる。解放要素は、モジュール内で一様に分散させることができる。解放要素を設けることは、デバイス用にユニットおよびモジュールを組み立てるのに必要な、単なる通常の動作中に、何らかの別個の、または外部の手段も使用することなく、解放可能な接続を容易に解放できる利点を提供する。組み立てられた後、ユニットおよびモジュールは、しっかりと、好ましくは解放できないように、互いに接続することができる。
【００１１】
有利な実施形態では、貯蔵器は、モジュールの開放端に配置される。貯蔵器は、モジュールの開放端に向いている開口部を経由して、薬物を充填することができる。開放端、特に貯蔵器は、接続部材を受け入れるように構成することができる。支持体は、例えば、恒久的に本体に接続されるように構成することができる。支持体は、デバイスの外側面、例えば、底面を形成することができる。
【００１２】
実施形態は、さらに上記で述べたユニットおよびモジュールを備えるキットに関する。
【００１３】
実施形態は、装置を備える薬物送達デバイスに関する。デバイスは、装置に接続された、上記で述べたモジュールを備えることができる。デバイスにおいては、支持体と接続部材の間の解放可能な接続は確立されていない。したがって、接続部材は、支持体に対して移動することができる。ばね要素は、薬物送達デバイスが薬物の用量を投薬するように操作されたとき、接続部材を支持体から移動させるように配置することができる。こうすることは、薬物を接続部材による圧力下で保持できるという利点を提供する。こうすることにより、吸入器の寿命にわたり、再現可能な用量、すなわち、貯蔵器から投薬される薬物用量の一定な量を提供することが容易になる。接続部材は、貯蔵器の可動封止ベースを形成することができる。
【００１４】
本開示のさらなる態様は、薬物送達デバイスを組み立てる方法に関する。その場合、例えば、さらに上記で述べたものなどのユニットおよびモジュールが提供される。ユニットは、互いに解放可能に接続された支持体および接続部材を備える。モジュールは、貯蔵器と、貯蔵器と連通する開口部とを備える。さらに方法は、開口部を経由して貯蔵器の中に薬物を充填する工程を含む。その後、ユニットおよびモジュールは、互いに接続される。充填された貯蔵器の開口部は接続部材で閉鎖され、また解放可能な接続は、接続部材が、支持体に対して移動可能になるような方法で解放される。開口部の閉鎖、および解放可能な接続の解放は、ユニットとモジュールの間を接続するのと同時に、またはユニットがモジュールに接続される前に、例えば、ユニットおよびモジュールを接続するためのモジュールとユニット間の移動が完了する前に、行うことができる。開口部を閉鎖することは、部材接続要素を可動にできる解放可能な接続の解放によって可能になりうる。代替的には、開口部は、解放可能な接続が解放される前に、例えば、解放可能な接続が解放される前に接続部材を貯蔵器の中に移動させることにより、すでに閉じることもできる。モジュールとユニットの接続中に、支持体を、例えば、しっかりと、かつ／または解放できないように、貯蔵器がその中に形成もしくは保持されうるモジュールの本体に接続することができる。
【００１５】
利点として、本方法は、それぞれが複数の部材をそれ自体で備える事前に組み立てられたユニットまたはモジュールにより機械的に係合され、かつ相互作用する複数の部材を備える薬物送達デバイスを容易に組み立てることを可能にする。それによりユニットおよびモジュールを接続することができ、その結果、解放可能な接続が解放され、かつ接続部材が、貯蔵器内で支持体に対して移動可能に収容される。
【００１６】
実施形態では、支持体は、支持体接続要素に関連付けられ、かつ特に角度的にオフセットされたガイド機構を備え、解放可能な接続が確立されたとき、部材接続要素は、少なくとも部分的に、支持体接続要素とガイド機構の間に配置される。この幾何学的構成は、前記部材が解放可能に接続されたとき、支持体と接続部材の相対的な回転を阻止することができる。したがって、ガイド機構は、ユニットを安定化することができる。さらにガイド機構は、ユニットを形成するように接続されたとき、接続部材と支持体の相対運動をガイドすることができる。
【００１７】
有利な実施形態では、支持体は、薬物送達デバイスのベースを形成し、かつ下端に配置される。
【００１８】
実施形態では、解放可能な接続は、スナップ嵌め接続である。スナップ嵌め接続が、接続要素により形成されると好都合である。したがって、接続要素は、スナップ要素またはスナップ手段として設計することができる。各支持体接続要素は、部材接続要素に嵌合することができる。スナップ嵌め接続として構成することに利点は、確実に機械的な係合が行われることであり、それにより、解放可能な接続が容易に確立され、かつそれを解放することができる。
【００１９】
実施形態では、装置は、例えば、デシケータ・カプセル（ｄｅｓｉｃｃａｔｏｒ  ｃａｐｓｕｌｅ）など、デシケータ内に提供されうる乾燥剤を備える。乾燥剤は、ばね要素により範囲が定められた内部空間内に配置することができる。これは、特定の空間節約構成を提供する。乾燥剤は、デバイスの貯蔵器内にある薬物の凝集反応により誘起された湿気を回避することができる。
【００２０】
実施形態では、支持体接続要素および部材接続要素は、各軸に沿って、好ましくは共通軸に沿ってさらに配向される。軸は、薬物送達デバイスの長手方向軸とすることができる。接続要素を共通軸に沿って配向することにより、接続要素の軸が心合わせされるようにユニットおよびモジュールが配置された後、モジュールとユニットを接続するために、かつ／または解放可能な接続を解放するために、モジュールおよびユニットを移動させる必要のある方向を規定することができる。
【００２１】
有利な実施形態では、接続要素の一方を撓むように作ることができる。言い換えると、接続要素の一方は、可撓性を有することができる。接続要素の他方は、剛性を有することができる。こうすることにより、接続要素を係合させるまたは係合を解除し、その結果、それぞれ、解放可能な接続を確立するまたは解放するために、可撓性のある接続要素が、他方の接続要素に対して簡単に変位できるようになる。
【００２２】
実施形態では、接続部材は主体を備える。部材接続要素は、接続部材の本体から離間され、かつそれに接続された軸方向を向いたバーを備えることができる。利点として、この幾何的構成は、例えば、接続部材に加えられた外部トルクに対して解放可能な接続の機械的な安定化を可能にすることができる。さらに、バーは、ユニットとモジュールの接続中に、解放要素に対するガイド・トラックを提供することができる。さらに、バーは、デバイスの視覚的な充填レベル・インジケータのための手段を提供することができる。
【００２３】
実施形態では、接続部材は封止部材を備える。封止部材は、例えば、貯蔵器を、特にその開口部を封止するために、貯蔵器の壁と協動するように構成することができる。封止部材は、貯蔵器の壁と協動して、薬物の漏れない封止を形成するように構成することができる。有利な実施形態では、封止部材は接続部材の上端に配置される。封止部材は、貯蔵器の可動封止ベースを形成することができる。
【００２４】
実施形態では、解放可能な接続が確立されたときは特に、支持体接続要素および部材接続要素のうちの可撓性を有する方は露出面を有する、または提供する。露出面は、傾斜した、好ましくは垂直ではない表面を有することができる。露出表面は、軸に対して鋭角を成す面法線（ｓｕｒｆａｃｅ  ｎｏｒｍａｌ）を有することができる。露出面は、平坦面とすることができる。露出面は、部材接続要素および支持体接続要素のうちの可撓性のものにより提供されうる。露出された傾斜面は、解放可能な接続を解放するために解放要素と協働する相互作用面を提供することができる。
【００２５】
実施形態では、支持体接続要素および部材接続要素は、解放可能な接続が確立されておらず、かつ支持体接続要素と部材接続要素の間の距離が、支持体と接続部材の間の相対運動により減少したとき、支持体接続要素および部材接続要素は互いに係合し、それにより、支持体および接続部材を解放可能に接続できるように配置および構成される。ばね要素は、この動きの間、偏倚させることができる。解放可能な接続を確立する、かつ／または解放することは、接続要素のうちの可撓性のものを、接続要素の他方に対して撓ませることを含むことができる。
【００２６】
実施形態では、解放可能な接続は、それが確立されたとき、支持体接続要素と部材接続要素の間の距離を増加させようとする、支持体接続要素と部材接続要素の間の相対運動を阻止する。
【００２７】
実施形態では、解放可能な接続が確立されたとき、ばね要素は偏倚され、支持体接続要素および部材接続要素の係合解除が、支持体接続要素と部材接続要素を当接状態に保持する偏倚されたばね要素のばね力により阻止される。したがって、利点は、解放可能な接続により、ばね要素を偏倚させること、および支持体に対して接続部材が固定されることである。
【００２８】
実施形態では、組立ては、ユニットおよびモジュールを互いに対して軸方向に移動させることにより実施され、それにより、解放要素は、例えば、接続要素のうちの可撓性のものなど、支持体接続要素および部材接続要素の一方の露出面と協働する。さらなる動きにより、支持体接続要素および部材接続要素の可撓性のある方の偏向を生じ、それにより、例えば、接続要素の係合を解除することにより、解放可能な接続が解放される。
【００２９】
実施形態では、解放可能な接続の解放は、偏倚されたばね要素の部分的な解放をトリガする。ばね要素の復元力は、貯蔵器内の薬物に対して接続部材の封止部材を押すことができる。
【００３０】
実施形態では、解放可能な接続が解放された後、可撓性のある接続要素は、例えば、解放要素が接続要素に対してなお作用していることに起因して、偏向したまま留まる可能性がある。偏向した接続要素は、接続部材または支持体に、それぞれ、接続されたまま留まることができる、すなわち、それは、要素に作用する偏向力により、例えば、壊れるなど、外れることはない。したがって、接続要素の一方は、モジュールおよびユニットの接続中にかなり偏向されている可能性があるが、組み立てられると、デバイス中に緩んだ部材は存在しない。デバイス中の緩んだ構成要素は、例えば、充填レベルの視覚的指示を混乱させるおそれがある。
【００３１】
実施形態では、例えば、支持体接続要素などの接続要素のうちの可撓性のものなど、接続要素の一方はフック状に作られている。言い換えると、各接続要素は、軸および軸から突き出た突起部を備えることができる。可撓性のある接続要素を提供することは、このように容易に行うことができる。部材接続要素は、解放可能な接続を確立するように、支持体接続要素の突起部を受けるための受入れセクションを備えることができる。
【００３２】
実施形態では、支持体は、複数の支持体接続要素を備える。
【００３３】
実施形態では、接続部材は、複数の部材接続要素を備える。部材接続要素は、各場合において、支持体接続要素のそれぞれ一方のものと嵌合するように構成することができる。
【００３４】
支持体接続要素および／または部材接続要素は、支持体、または接続部材に対して、それぞれ、円周方向に一様に分散させることができる。各ガイド機構は、各支持体接続要素と関連付けることができる。
【００３５】
実施形態では、複数のガイド機構および／または解放要素を提供することができる。部材接続要素、支持体接続要素、ガイド機構、および／または解放要素が、等しい数で提供されると好都合である。各要素または機構は、円周方向に一様に分散されると好都合である。
【００３６】
本明細書において、様々な態様または実施形態と併せて上記および以下で述べられる特徴はまた、他の態様および実施形態に適用することができる。特に、装置に関して述べられた特徴は、方法、ユニット、およびモジュールに対して適用することができ、その逆も同様である。
【００３７】
この開示の主題のさらなる特徴および利点は、諸図と併せて以下の例示的な実施形態の説明から明らかになろう。
【図面の簡単な説明】
【００３８】
【図１】薬物送達デバイス用の事前に組み立てられたユニットを形成するように構成された構成要素の分解図に基づき、本開示による装置の例示的な実施形態を示す図である。
【図２】本開示による事前に組み立てられたユニットの例示的な実施形態の斜視図である。
【図３】簡略化した断面図に基づいて、薬物送達デバイス用モジュールの例示的な実施形態を示す図である。
【図４】概略的な長手方向断面図に基づき、薬物送達デバイスの例示的な実施形態を示す図である。
【図５】解放可能な接続を解放する解放機構の実施形態を示している本開示によるいくつかの部材の簡略化した断面図である。
【発明を実施するための形態】
【００３９】
同様の要素、同種の要素、および同一に作用する要素には、諸図において同じ参照数字を与えることができる。さらに図では、尺度が正しくない可能性がある。いくつかの特徴は、重要な原理をよりよく説明するために、むしろ誇張して示すこともありうる。
【００４０】
図１は、図４で示された薬物送達デバイス８０を形成することが意図された装置１を示している。
【００４１】
装置は、支持体１０および接続部材２０を備える。装置１は、ばね要素３０をさらに備える。さらに装置はデシケータ５０を備える。装置１の部材は、薬物送達デバイス８０の軸ｘ−ｘに沿って配置され、それに沿うように特に配向されており（図４を参照のこと）、軸は、薬物送達デバイス８０の長手方向軸を規定することができる。薬物送達デバイスは、例示的な実施形態では吸入器であり、特に乾燥粉末吸入器とすることができる。しかし、開示される概念はまた、他の薬物送達デバイスにも適用可能でありうる。
【００４２】
支持体１０は主体１９を有する。主体１９は、平面図で円形状を画成することができる。支持体１０は、例えば、その底部など、薬物送達デバイス８０の境界を形成することができる。支持体１０は、２つの支持体接続要素１１を備える。支持体接続要素１１は、支持体１０の外側縁部に近接して配置される。
【００４３】
各支持体接続要素１１は、軸に沿った方向に、特に接続部材２０の方向に、支持体１０の主体１９から突き出すことができる。したがって、各支持体接続要素１１は、接続部材２０と機械的に協動することができる。支持体接続要素１１は，軸１６と、軸１６から突き出ている突起部１７とを備えることができる。軸１６は、軸方向に配向されており、突起部１７は、角度方向または接線方向に延びることができる。特に接続要素は、フック状に作られている。支持体接続要素１１は、スナップ要素またはスナップ手段として実施することができる。フック状の構成は、この目的に対して特に好都合である。
【００４４】
各支持体接続要素１１には可撓性があり、例えば、それは、主体１９に対して、壊れることなく、好都合には弾性的に、またはプラスチックのように曲がるなど、偏向することができる。
【００４５】
各支持体接続要素１１は、傾斜面１８を、特に接続部材２０の方向に向いた表面を備える。表面は平面にすることができる。表面は軸に対して、特に垂直ではなく、傾斜した面法線を有する。
【００４６】
例示的な実施形態は、２つの接続要素に関連することを理解されたい。しかし、１つだけ、または３以上など複数の接続要素とすることもできる。以下でさらに述べられる接続要素に関連する他の機構もしくは要素の数を、接続要素の数に対応するように調整することができる。
【００４７】
支持体１０は、支持体接続要素１１のそれぞれに関連する２つのガイド機構１２をさらに備える。各ガイド機構１２は、支持体１０の主体１９から軸方向に突き出すことができる。各ガイド機構１２は、支持体１０の円周方向の範囲を定めるリム１５から半径方向内側にさらに突き出ている。リム１５は、主体１９から軸方向に突き出すことができる。各ガイド機構１２は、関連する支持体接続要素１１と比較して長さが短い。各ガイド機構１２は、関連する支持体接続要素１１からオフセットされている、特に角度的にオフセットされている。支持体接続要素１１の一方と関連付けられているガイド機構１２は、他方の支持体接続要素１１よりも、その支持体接続要素１１に近接するように配置される。支持体接続要素１１の間に支持体１０の保持空間を画成することができ、そこには、図２で示すように、装置１の構成要素が組み立てられてユニット６０が形成された後、乾燥剤５０およびばね要素３０を配置することができる。
【００４８】
支持体１０はまた、２つのスペーサ１３を備える。スペーサ１３は、直径に沿って互いに反対側に配置される。支持体１０は、例えば、支持体１０の主体１９から突き出た受入れリングにより半径方向外側に範囲が定められたスペースなど、受入れセクション１４をさらに備える。受入れセクション１４は、クランプ動作などにより、デシケータ５０を受け入れ、かつ保持するように設計することができる。
【００４９】
接続部材２０は、主体２８および２つの部材接続要素２１を備える。部材接続要素２１は細長い。部材接続要素２１は軸方向を向いている。部材接続要素２１は、主体２８に接続されるが、離れている。接続部材２０の主体２８は、例えば、円筒形状を有する。当然であるが、それは異なる形状を有することもできる。接続部材２０は、ばね要素３０を、適用可能な場合はさらに、デシケータ５０も受け入れるための保持空間を画成すると好都合である。したがって、組み立てられたユニット６０では、前記要素を、接続部材２０内に受け入れることができる。このために、主体２８は、内側の空洞部を画成することができる。
【００５０】
各部材接続要素２１は、バー２２と、バー２２に設けられた凹部２３とを備えることができる。凹部２３は、バー２２の中へと角度方向に延びることができる。
【００５１】
支持体接続要素１１および部材接続要素２１は、支持体１０と接続部材２０の間で解放可能な接続を確立するように構成される。解放可能な接続は、スナップ嵌め接続とすることができる。しかし、例えば、支持体１０と接続部材２０の間で接着接続などの別のタイプの解放可能な接続を利用することも可能である。各支持体接続要素１１の軸１６は、支持体１０の主体１９からの突起部１７の空間的な分離を提供する。これは、解放可能な接続に対して信頼性のある接続要素を提供するために、支持体接続要素１１が可撓性を有するように形成されることを容易にする。軸１６の長さは、必要な可撓性を提供するように調整することができる。
【００５２】
支持体１０および接続部材２０の解放可能な接続を確立するために、部材接続要素２１の凹部２３を、支持体接続要素１１の突起部１７と係合させる。凹部２３は、支持体接続要素１１の突起部１７に適合することができる。凹部２３は、接続部材２０の下側半分に配置されると好都合である。言い換えると、凹部は、支持体から遠隔にある端部、すなわち上端２５よりも、支持体１０に面する接続部材２０のその端部、すなわち下端２４に近接して設けられる。凹部２３から下端２４への距離は、支持体接続要素１１の軸１６の長さと合っている。
【００５３】
さらに部材接続要素２１は、互いに直径に沿って反対側に配置される。これは、支持体接続要素１１についても同様のことが言える。したがって、支持体または部材接続要素１１または２１は、これらの接続要素の一方をこれらの接続要素の他方に対して、前者の接続要素を後者の接続要素の位置に円周方向に移動させることによりマップできるように配置および構成される。
【００５４】
ガイド機構１２およびスペーサ１３は、支持体１０と接続部材２０の接続中に、部材接続要素２１および接続部材２０をそれぞれガイドするように意図されている。ガイド機構１２および／またはスペーサ１３の幾何形状は、長軸が半径方向に向いている長方形にすることができる。さらに、スペーサ１３は、支持体１０および接続部材２０の接続中に接続部材２０をガイドし、さらに機械的に支持体１０を補強することができる。
【００５５】
リム１５は、しっかりとした、場合によりモジュール７０に対して耐ウイルス性の接続を可能にする、支持体１０の円周に沿って実施された突起および／溝を備える（図４を参照のこと）。支持体１０およびモジュール７０の間の接続は、例えば、超音波溶接により実施することができる。
【００５６】
ばね要素３０は、金属のコイルばねとすることができ、多数の巻き線を備えて示されている。ばね要素３０は、支持体１０と接続部材２０の間に配置される。
【００５７】
デシケータ５０は、デシケータ５０の上部５２の直径よりも小さい直径を有する底部５１を有する。デシケータ５０は、概して円筒のような形状とすることができる。底部５１の構成は、支持体１０の対応する受入れセクション１４の中に嵌合するようになっている。上部５２は、ばね要素３０により範囲が定められた内側空間の中に嵌合するように構成される。支持体１０の受入れセクション１４の外側側面は、同時に、ばね要素３０を受け入れる支持体１０のセクションの範囲を定めることができ、ばね要素３０は受入れリング１４の周囲の外側に嵌合する、または例えば、摩擦嵌めで嵌合する。内側の溝（図示していない）は、接続部材２０の主体２８の上端２５でばね要素３０を受けるために、接続部材２０の内側上部に配置される。
【００５８】
図１および図２で示した実施形態では、バー２２は、その底部セクションでだけ、接続部材２０の主体２８に接続されている。言い換えると、主体２８とバー２２の間の接続２６は、バー２２に対して上端よりもバー２２の下端に近接した位置で行われる。接続は、凹部２３よりも接続部材の下端２４に近い軸方向位置に配置することができる。バー２２の構成は、解放可能な接続が確立されたとき（図２を参照のこと）、例えば、接続部材２０に加えられる外部トルクに対して、解放可能な接続の機械的な安定化を提供することが意図されている。バーは、長手方向軸に対して直角な長方形横断面をさらに備え、長方形の長辺は、接線方向を向いている。
【００５９】
バー２２は、デバイス８０の貯蔵器８６における薬物の充填レベルに対する充填レベル指示として働くことができる。したがって、バー２２は、主体２８の上端２５の所まで長手方向に延びるように実施される。さらにバー２２は、薬物送達デバイス８０の組立てを支援し、かつ特にガイド手段（以下を参照のこと）を提供する。部材接続要素２１と主体２８の間の空間は、組み立てられた薬物送達デバイス８０において、貯蔵器８６の壁を受け入れることができ、したがって、主体２８は、貯蔵器８６内に配置され、また接続要素は、貯蔵器８６の外側に配置される。接続要素２１は、このように、貯蔵器８６内における薬物の充填レベルの充填レベル指示で使用することができる。
【００６０】
さらに接続部材２０は封止部材４０を備える。封止部材４０は、接続部材２０の主体２８に接続できるが、例えば、主体２８にクランプされる、またはスナップ嵌めすることができる。封止部材４０は、接続部材２０の上部に配置される。封止部材４０は、薬物送達デバイス８０の封止としての効果を得るために、弾性材料から作ることができる。封止部材４０は、接続部材２０の主体２８と同一面で終わることができる。
【００６１】
ガイド機構１２は、バー２２の接線寸法または角度寸法に相当する距離だけ、支持体接続要素１１から円周に沿って離間している。この構成は、ガイド機構１２と、関連する支持体接続要素１１との間に１つのバー２２を受け入れることを容易にする。
【００６２】
解放可能な接続が確立されたとき、図２で示すように、装置１はユニット６０を形成する。その場合、支持体１０および接続部材２０は、支持体接続要素１１の突起部１７が、部材接続要素２１の凹部２３により受け入れられた状態で、互いに解放可能に接続される。解放可能な接続を確立するために、支持体接続要素１１は撓むことができる。さらに、ばね要素３０およびデシケータ５０は、接続部材２０により収容され、またばね要素３０は、解放可能な接続が確立されたとき偏倚される。解放可能な接続が解放された場合、ばね要素３０は緩み、それにより、接続部材２０を支持体１０から離すことができる。支持体１０は、ユニット６０のベースを形成する。支持体接続要素１１は、支持体１０の底面から離れる方向に向いた露出面１８を提供する。露出面１８は平面である。露出面１８は傾斜している。露出面１８は、軸に対して鋭角を成す面法線を有する。このように、露出面１８は、露出されると、解放可能な接続を解放するための手段を提供することができ、モジュール７０の解放要素７２（図３を参照のこと）と相互作用することができる。
【００６３】
適切なモジュール７０は、軸に対して直角な断面図により、図３で概略的に示されている。モジュール７０は解放要素７２を備える。解放要素７２は、モジュール７０の内側表面に、例えば、図４で示されたデバイスの本体８８などのモジュール７０の構成要素７３の表面に設けられるが、本体８８は、組み立てられた後、薬物送達デバイス８０の外側ハウジングを画成することができる。解放要素７２は、互いに直径に沿って反対側に配置される。解放要素７２は、モジュール７０およびユニット６０が薬物送達デバイス８０用として接続されたとき、解放可能な接続を解放するために露出面１８と協動するように構成される。したがって、解放要素７２の先端部は、支持体接続要素１１の露出面１８と、部材接続要素２１の間で形成された空間の中に突き出すように構成される。
【００６４】
モジュール７０は、薬物送達デバイス８０用として事前に組み立てられた複数の構成要素を備えることができる。このような構成要素は、薬物を保持するための貯蔵器８６と、貯蔵器８６から薬物の用量を抽出し、かつ薬物送達デバイス８０のユーザにより行われる吸入動作中にその用量を吸入する用意のできた待機位置に、薬物の用量を配置するのに適した投与機構とを備えることができる。モジュール７０の貯蔵器８６は、封止部材４０と、場合により接続部材２０の主体２８を受け入れるように構成された開口部７１を有すると好都合である。開口部７１を介して、薬物を、貯蔵器８６の中に充填することができる。封止部材４０は、貯蔵器８６の内壁に対する封止部材４０の薬物の漏れない接触により特徴付けられた、充填された貯蔵器８６の封止ベースを形成する。
【００６５】
モジュール７０およびユニット６０は、すぐに使える薬物送達デバイス８０を形成するキットの形態で提供することができ、キットは、モジュール７０の貯蔵器８６が薬物で充填され、ユニット６０およびモジュール７０が接続された後、使用できる状態になりうる。
【００６６】
図４は、例えば、特にキャップ８１、外側円筒部８２、投与ピン８３、窓８４、乾燥粉末などの薬物８５、薬物８５を含む貯蔵器８６、結合部８７、本体８８、および／またはマウスピース８９を備える吸入器などの薬物送達デバイス８０を示している。薬物送達デバイス８０およびその機能は、特にデバイスのオペレーションに関する限り、特許文献１で述べられたものと同様であり、その開示内容を参照によって本明細書の記述に組み入れる。
【００６７】
この方法では、キャップ８１を本体８８からねじを緩めて外し、かつ外側円筒部８２から外す間に、投与ピン８３は、薬物８５の各用量で充填されている。マウスピース８９を介してユーザにより生成された吸引空気流は、次いで、薬物８５を投与ピンからユーザへと移送する。このように、いくつかの、例えば、４０以上の用量を、薬物送達デバイス８０により送達することができる。したがって、貯蔵器８６中の薬物８５の量は、薬物送達デバイス８０が反復して操作されたとき、連続的に減少する。ばね要素３０のばね力により駆動されて、封止部材４０は、貯蔵器８６内を移動し、圧力下で貯蔵器８６内の薬物８５を保持することができる。貯蔵器８６の充填レベルは、窓８４を通して観察することができ、窓を通して、窓の上端の方向に封止部材４０と共に移動するバー２２の上部セクション、特に上縁部２７を見ることができるが、その間に、貯蔵器８６の薬物８５の量は、連続的に減少する。窓８４は、薬物送達デバイス８０の使用期間全体にわたり、すなわち、一杯に充填された貯蔵器８６から、最後の用量が投薬された貯蔵器８６まで、バー２２の合計の移動範囲を含むような寸法であり、かつ配置されている。
【００６８】
図４では、接続要素１１および２１が明示的に示されていないが、ユニット１０およびモジュール７０の結合部８７が示されており、その場合、モジュール７０は、ユニット６０に存在するものを除き、かつ適用可能な場合には、別個に提供されうるキャップ８１を除いて、薬物送達デバイス８０のすべての部材を備えることができる。
【００６９】
上記で述べたように、ユニット６０およびモジュール７０を用いて薬物送達デバイス８０を組み立てる方法は、まず、任意の適切な手段により、開口部７１を介して薬物８５を貯蔵器８６の中に充填する工程を含む。その後に、モジュール７０およびユニット６０を接続することができる。
【００７０】
ユニット１０およびモジュール７０の接続は、好ましくは、両方の部材を軸に沿って互いの方向に移動させることにより実行されるが、両方の部材は、事前にその軸に対して心合わせされている。それにより、動作中の一定の点において、充填された貯蔵器８６の開口部７１は、封止部材４０により閉じられる。さらなる動き、およびそれによるユニット１０とモジュール７０の間の距離の減少により、解放要素７２は、支持体接続要素１１の露出面１８と接触するようになる。
【００７１】
支持体接続要素１１の弾性に対するさらなる動きは、解放要素７２が、露出され、好都合には傾斜している表面に沿って摺動することにより、解放要素７２の長手方向の動きが突起部１７の接線方向または角度方向の動きへと変換されることに起因して、支持体接続要素１１の偏向を生ずる。接線方向または角度方向の偏向により、支持体接続要素１１の曲がりを生じ、それにより、部材接続要素２１の凹部２３から支持体接続要素１１の突起部１７が分離され、かつ解放可能な接続が解放される。図５は、解放可能な接続の解放に関係する構成要素の簡略化した図を示す。特にバー２２である部材接続要素２１、および解放要素７２は協動して、モジュール７０とユニット６０を互いに回転的に固定することができ、したがって、その間の相対的な回転は阻止される、または妨げられる。このように、解放要素７２と支持体接続要素１１との信頼性のある協動により、解放可能な接続を確実に解放することができる。
【００７２】
その結果、解放可能な接続が解放された後、接続部材２０は、ばね要素３０が部分的に緩むので、支持体１０に対して可動になる。ばね要素３０により、封止部材４０は、貯蔵器８６の中へと移動し、かつ／または貯蔵器８６内の薬物８５との接触を保持することができ、したがって、機械的な圧力が薬物８５に対して加えられる。このために、圧力は、貯蔵器８６の可動ベースを形成する封止部材４０をゆっくり進める（ｔｒａｉｌｉｎｇ）、または移動させる。
【００７３】
支持体接続要素には可撓性があると上記で述べられているが、開示される概念はまた、可撓性のある部材接続要素を用いても動作するはずである。
【００７４】
本明細書において使用される用語、「薬物」は、例えば、喘息もしくは慢性閉塞性肺疾患（ＣＯＰＤ）のような閉塞性気道または肺疾患、局所的な気道浮腫、炎症、ウイルス性、細菌性、真菌性または他の感染症、アレルギー、真性糖尿病の処置のための、少なくとも１つの薬学的に活性な化合物を含む医薬製剤を意味することがある。
【００７５】
活性な医薬化合物は、好ましくは、吸入に適した活性な医薬化合物、好ましくは抗アレルギー薬、抗ヒスタミン薬、抗炎症薬、鎮咳薬、気管支拡張薬、抗コリン作用薬およびそれらの組合せからなる群から選択される。
【００７６】
活性な医薬化合物は、例えば以下から選択することができる：
ヒトインスリンのようなインスリン、例えば組換えヒトインスリン、もしくはヒトインスリン類似体もしくは誘導体、グリカゴン様ペプチド（ＧＬＰ−１）もしくはその類似体もしくはその誘導体、もしくはエキセンジン−３もしくはエキセンジン−４、もしくはエキセンジン−３もしくはエキセンジン−４の類似体もしくは誘導体；
短時間作用型β２アゴニスト（例えばサルブタモール、アルブテロール、レボサルブタモール、フェノテロール、テルブタリン、ピルブテロール、プロカテロール、ビトルテロール、リミテロール、カルブテロール、ツロブテロール、レプロテロール）、長時間作用型β２アゴニスト（ＬＡＢＡ、例えばアルホルモテロール、バンブテロール、クレンブテロール、ホルモテロール、サルメテロール）、ウルトラＬＡＢＡ（例えばインダカテロール）のようなアドレナリン作動薬、もしくは別のアドレナリン作動薬（例えばエピネフリン、ヘキソプレナリン、イソプレナリン（イソプロテレノール）、オルシプレナリン（メタプロテレノール））；
グルココルチコイド（例えばベクロメタゾン、ブデソニド、シクレソニド、フルチカゾン、モメタゾン、フルニソリド、ベタメタゾン、トリアムシノロン）；
抗コリン作用薬もしくはムスカリンアンタゴニスト（例えば臭化イプラトロピウム、臭化オキシトロピウム、臭化チオトロピウム）；
肥満細胞安定化薬（例えばクロモグリケート、ネドクロミル）；
キサンチン誘導体（例えばドキソフィリン、エンプロフィリン、テオブロミン、テオフィリン、アミノフィリン、コリンテオフィリネート）；
ロイコトリエンアンタゴニスト（例えばモンテルカスト、プランルカスト、ザフィルルカスト）のようなエイコサノイド阻害剤、リポキシゲナーゼ阻害剤（例えばジロイトン）、もしくはトロンボキサン受容体アンタゴニスト（例えばラマトロバン、セラトロダスト）；
ホスホジエステラーゼタイプ４阻害剤（例えばロフルミラスト）；
抗ヒスタミン薬（例えばロラタジン、デスロラタジン、セチリジン、レボセチリジン、フェキソフェナジン）；
アレルゲン免疫療法（ａｌｌｅｒｇｅｎ  ｉｍｍｕｎｏｔｈｅｒａｐｙ）（例えばオマリズマブ）；
粘液溶解薬（ｍｕｃｏｌｙｔｉｃ）（例えばカルボシステイン、エルドステイン、メシステイン）；
抗生物質もしくは抗真菌物質；
またはこれまでに言及した化合物種もしくは化合物のいずれか２つ、３つもしくはそれ以上の組合せ（例えばブデソニド／ホルモテロール、フルチカゾン／サルメテロール、臭化イプラトロピウム／サルブタモール、モメタゾン／ホルモテロール）；
またはこれまでに挙げた化合物のいずれかの薬学的に許容される塩もしくは溶媒和物もしくはエステル。
【００７７】
薬学的に許容される塩は、例えば酸付加塩および塩基性塩である。酸付加塩は、例えば塩化物、臭化物、ヨウ化物、硝酸、炭酸、硫酸、メチル硫酸、リン酸、酢酸、安息香酸、ベンゼンスルホン酸、フマル酸、マロン酸、酒石酸、コハク酸、クエン酸、乳酸、グルコン酸、グルタミン酸、エデト酸、メシル酸、パモ酸、パントテン酸またはヒドロキシナフトエ酸の塩である。塩基性塩は、例えばアルカリもしくはアルカリ性から選択されるカチオン、例えばＮａ＋もしくはＫ＋もしくはＣａ２＋、またはアンモニウムイオンＮ＋（Ｒ１）（Ｒ２）（Ｒ３）（Ｒ４）を有する塩であり、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する。薬学的に許容される塩の他の例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。薬学的に許容されるエステルは、例えば酢酸エステル、プロピオン酸エステル、リン酸エステル、コハク酸エステルまたはエタボン酸エステルとすることができる。
【００７８】
薬学的に許容される溶媒和物は、例えば水和物である。
【００７９】
本発明の保護範囲は、本明細書の上記で示された例に限定されない。本発明は、各新規な特性、および特性の各組合せで実施され、それは、特に特許請求の範囲で述べられている任意の特徴のあらゆる組合せを含むものであり、この特徴または特徴のこの組合せが特許請求の範囲または例で明示的に述べられていない場合であってもそうである。
【符号の説明】
【００８０】
１  装置
１０  支持体
１１  支持体接続要素
１２  ガイド機構
１３  スペーサ
１４  受入れセクション
１５  リム
１６  軸
１７  突起部
１８  露出面
１９  主体
２０  接続部材
２１  部材接続要素
２２  バー
２３  凹部
２４  下端
２５  上端
２６  接続
２７  上縁部
２８  主体
３０  ばね要素
４０  封止部材
５０  デシケータ
５１  底部
５２  上部
６０  ユニット
７０  モジュール
７１  開口部
７２  解放要素
７３  モジュールの構成要素
８０  薬物送達デバイス
８１  キャップ
８２  外側円筒部
８３  投与ピン
８４  窓
８５  薬物
８６  貯蔵器
８７  結合部
８８  本体
８９  マウスピース
ｘ−ｘ  軸
【図１】
2015502226.tif 000003
【図２】
2015502226.tif 000004
【図３】
2015502226.tif 000005
【図４】
2015502226.tif 000006
【図５】
2015502226.tif 000007
【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
吸入器（８０）のための装置（１）を備える、薬物（８５）を投薬するための吸入器（８０）であって、該装置（１）は：
支持体（１０）と、
接続部材（２０）と、
ばね要素（３０）と
を備え、ここで、ばね要素（３０）は、支持体（１０）と接続部材（２０）の間に配置され、支持体（１０）は支持体接続要素（１１）を備え、かつ接続部材（２０）は部材接続要素（２１）を備え、これらの接続要素が、支持体（１０）および接続部材（２０）を解放可能に接続するための解放可能な接続を確立するように構成され、さらに、吸入器は、装置（１）に接続されるモジュール（７０）を備え、該モジュール（７０）は、薬物（８５）を含む貯蔵器（８６）を備えており、支持体（１０）と接続部材（２０）の間で解放可能な接続が確立されておらず、ばね要素（３０）は、吸入器（８０）が薬物（８５）の用量を投薬するように操作されたとき、接続部材（２０）を支持体（１０）から移動させるように配置されることを特徴とする、上記吸入器（８０）。
【請求項２】
該解放可能な接続はスナップ嵌め接続である、請求項１に記載の吸入器（８０）。
【請求項３】
支持体接続要素（１１）および部材接続要素（２１）は、共通軸に沿って配向される、請求項１または２に記載の吸入器（８０）。
【請求項４】
解放可能な接続が確立されたとき、支持体接続要素（１１）および部材接続要素（２１）の一方が、軸に対して鋭角を成す面法線を備える露出面（１８）を有する、請求項３に記載の吸入器（８０）。
【請求項５】
部材接続要素（２１）は、接続部材（２０）の主体（２８）に接続されているが離間された、軸方向に向いたバー（２２）を備える、請求項１〜４のいずれか１項に記載の吸入器（８０）。
【請求項６】
解放可能な接続が確立されておらず、かつ支持体接続要素（１１）と部材接続要素（２１）の間の距離が、支持体（１０）と接続部材（２０）の間の相対運動により減少したとき、ばね要素（３０）が偏倚され、かつ支持体接続要素（１１）および部材接続要素（２１）が互いに係合し、それにより、支持体（１０）および接続部材（２０）が解放可能に接続され、かつ支持体接続要素（１１）と部材接続要素（２１）の間の距離を増加させようとする、支持体接続要素（１１）と部材接続要素（２１）の間の相対運動が阻止されるように支持体接続要素（１１）および部材接続要素（２１）が配置および構成される、請求項１〜５のいずれか１項に記載の吸入器（８０）。
【請求項７】
解放可能な接続が確立されたとき、ばね要素（３０）は偏倚され、かつ支持体接続要素（１１）および部材接続要素（２１）の係合解除が、該支持体接続要素（１１）および該部材接続要素（２１）を当接状態に保持する偏倚されたばね要素（３０）のばね力により阻止される、請求項１〜６のいずれか１項に記載の吸入器（８０）。
【請求項８】
支持体（１０）は複数の支持体接続要素（１１）を備え、また接続部材（２０）は複数の部材接続要素（２１）を備え、該部材接続要素（２１）が、各場合で、支持体接続要素（１１）のそれぞれ１つと嵌合するように構成され、ここで、支持体接続要素（１１）および部材接続要素（２１）は、支持体（１０）および接続部材（２０）上で、それぞれ、一様に分散される、請求項１〜７のいずれか１項に記載の吸入器（８０）。
【請求項９】
解放可能な接続が確立される、請求項１〜８のいずれか１項に記載の装置を備えるユニット（６０）。
【請求項１０】
請求項９に記載のユニット（６０）、および該ユニット（６０）に接続可能なモジュール（７０）を備えるキットであって、
該モジュール（７０）は、ユニット（６０）およびモジュール（７０）が互いに接続されたとき、解放可能な接続を解放するために、支持体接続要素（１１）および部材接続要素（２１）の少なくとも一方と協動するように構成された少なくとも１つの解放要素（７２）を備える、上記キット。
【請求項１１】
接続部材（２０）は、貯蔵器（８６）の壁と協動して薬物の漏れない封止を形成するのに適した封止部材（４０）を備える、請求項１〜１０のいずれか１項に記載の吸入器（８０）。
【請求項１２】
吸入器（８０）を組み立てる方法であって：
互いに開放可能に接続された支持体（１０）および接続部材（２０）を備えるユニット（６０）を提供する工程と；
貯蔵器（８６）、および貯蔵器（８６）と連通する開口部（７１）を備えるモジュール（７０）を提供する工程と；
薬物（８５）を、開口部（７１）を介して貯蔵器（８６）の中に充填する工程と；
ユニット（６０）およびモジュール（７０）を互いに接続し、充填された貯蔵器（８６）の開口部（７１）を、接続部材（２０）を用いて閉鎖し、かつ接続部材（２０）が支持体（１０）に対して移動可能になるように解放可能な接続を解放する工程と
を含む、上記方法。
【請求項１３】
モジュール（７０）は、ユニット（６０）およびモジュール（７０）の接続を確立するために行われるユニット（６０）およびモジュール（７０）の相対運動中に、部材接続要素（２１）および支持体接続要素（１１）の少なくとも一方と協動して解放可能な接続を解放するように構成された解放要素（７２）を備える、請求項１２に記載の方法。
【請求項１４】
部材接続要素（２１）および支持体接続要素（１１）の少なくとも一方には可撓性があり、組立てが、ユニット（６０）およびモジュール（７０）を互いに向けて軸方向に移動させることにより実行され、それにより、解放要素（７２）を、部材接続要素（２１）および支持体接続要素（１１）の一方の露出面（１８）と協動させて、さらに移動させることにより、支持体接続要素（１１）および部材接続要素（２１）の可撓性のある方を偏向させ、それにより、部材接続要素（２１）および支持体接続要素（１１）の係合を解除し、かつ解放可能な接続を解放し、ここで、支持体接続要素（１１）および部材接続要素（２１）の可撓性のある方は、解放可能な接続が解放された後、偏向された状態に留まる、請求項１３に記載の方法。
【国際調査報告】
2015502226.tif 000008
2015502226.tif 000009
2015502226.tif 000010
2015502226.tif 000011
2015502226.tif 000012
2015502226.tif 000013